(57)【要約】【課題】  耳元まで覆うことができ、保温性に優れるマスクを提供する。【解決手段】  中央部に口を当てたとき長手方向の両端部が耳元までを覆う形状を有し、長手方向の全体にわたって綿が充填されるように、布で綿を包み縫着して形成されるマスク本体と、マスク本体の長手方向の両端部に設けられる一対の耳掛けと、を備える。このように、本考案に係るマスクは、マスク本体が中央部に口を当てたとき長手方向の両端部が耳元までを覆う形状を有する。これにより、口から耳元までの部分を直接外気に晒すことなく、保温することができる。また、本考案に係るマスクは、マスクの長手方向の全体にわたって綿が充填されるように、布で綿を包み縫着して形成されている。このように、全体に綿が行き渡るように、マスク本体が形成されているため、ガーゼマスク等に比べ保温性がよい。【選択図】  図１
0003111301.tif 000002
【実用新案登録請求の範囲】
【請求項１】
中央部に口を当てたとき長手方向の両端部が耳元までを覆う形状を有し、布で綿を包み縫着して形成されるマスク本体と、
前記マスク本体の長手方向の両端部に設けられる一対の耳掛けと、を備えることを特徴とするマスク。
【請求項２】
前記マスク本体は、長手方向の全体にわたって綿が充填されていることを特徴とする請求項１記載のマスク。
【請求項３】
前記マスク本体は、前記マスク本体の幅方向の一方の端部に、前記マスク本体を折り返し、その長手方向の両端部を縫着して形成される折り返し部を有することを特徴とする請求項１または請求項２記載のマスク。
【請求項４】
前記マスク本体は、前記マスク本体の中央部に幅方向の一方の端部に向かって開口する中央ポケットを有することを特徴とする請求項１から請求項３のいずれかに記載のマスク。
【請求項５】
前記中央ポケットは、開口端が前記マスク本体の幅方向の端部から一定の段差を隔てて形成されていることを特徴とする請求項４記載のマスク。
【請求項６】
前記中央ポケットは、前記綿を包む布の余剰分および、前記布の余剰分を折り返し前記マスク本体の幅方向に沿って縫着する一対の縫着部により形成されることを特徴とする請求項４または請求項５記載のマスク。
【請求項７】
前記一対の縫着部は、折り返される前記布の余剰分とともに、前記マスク本体を形成する前記綿および前記綿を包む布を重ねて一体に縫着することを特徴とする請求項６記載のマスク。
【請求項８】
前記一対の縫着部は、前記中央ポケットの両側に、２つの脇ポケットを形成することを特徴とする請求項６または請求項７記載のマスク。
【請求項９】
前記中央ポケットは、芳香体を収納することを特徴とする請求項４から請求項７のいずれかに記載のマスク。
【請求項１０】
前記中央ポケットは、湿潤体を収納することを特徴とする請求項４から請求項７のいずれかに記載のマスク。
【請求項１１】
前記中央ポケットは、活性炭を内包する包装体を収納することを特徴とする請求項４から請求項７のいずれかに記載のマスク。
【請求項１２】
前記脇ポケットは、芳香体を収納することを特徴とする請求項８に記載のマスク。
【考案の詳細な説明】
【技術分野】
【０００１】
本考案は、布で綿を包み縫着して形成されるマスクに関する。
【背景技術】
【０００２】
従来から、マスクは風邪や花粉アレルギーの予防などに用いられている。このような用途に用いられるマスクは、一般的に長方形にカットされたガーゼを複数枚重ね合わせたマスク本体と、このマスク本体の長さ方向の両端部にそれぞれ取り付けられた紐またはゴム紐と、により構成されている。マスクは、一対の紐またはゴム紐を両耳に引っかけ、マスク本体で使用者の口や鼻を覆うことで、着用される。
【０００３】
このようなマスクの中には、保温を目的とするものがある（たとえば、特許文献１参照）。特許文献１に記載される温熱マスクは、長方形に成形したマスク本体の左右両側部分に細長い貫通孔を幅方向にそれぞれ開け、その貫通孔にそれぞれ掛け紐を通して、それらの掛け紐はリング状にしている。そして、マスク本体の下部を横に縫製して、発熱した使いすてカイロを収納する袋を設けている。また、特許文献１には、マスク本体の中央部を縦に縫製して左右に袋を設けたマスクも開示されている。
【特許文献１】実開平３−９７１８号公報
【考案の開示】
【考案が解決しようとする課題】
【０００４】
しかしながら、上記のような一般的なマスク本体は、ガーゼを重ねたものに過ぎないため、保温性が低い。また、主に口および鼻を覆う目的で長方形にカットされているため、耳元は外気に晒され保温されない。
【０００５】
一方、特許文献１に記載される温熱マスクは袋に収納したカイロにより、マスクに当接する部分を加熱するが、発熱したときの最高温度が６０℃を超えるカイロも存在するため、口や鼻に火傷を負いかねない。また、発熱材料に鉄粉を含むカイロは重いために、マスク本体が自重に耐え切れず、顔面からずり落ちやすい。また、カイロによりマスクの通気性が損なわれ、息苦しくなる場合も生じ得る。
【０００６】
本考案は、このような事情に鑑みてなされたものであり、耳元まで覆うことができ、保温性に優れるマスクを提供することを目的とする。
【課題を解決するための手段】
【０００７】
（１）上記の目的を達成するため、本考案のマスクは、中央部に口を当てたとき長手方向の両端部が耳元までを覆う形状を有し、布で綿を包み縫着して形成されるマスク本体と、前記マスク本体の長手方向の両端部に設けられる一対の耳掛けと、を備えることを特徴としている。
【０００８】
このように、本考案に係るマスクは、マスク本体が中央部に口を当てたとき長手方向の両端部が耳元までを覆う形状を有する。これにより、口から耳元までの部分を直接外気に晒すことなく、保温することができる。また、キルティング加工により形成されるため、ガーゼマスク等に比べ保温性がよい。
【０００９】
（２）また、本考案のマスクにおいて、マスク本体は、長手方向の全体にわたって綿が充填されていることを特徴としている。
【００１０】
このように、本考案のマスクは、マスク本体の長手方向の全体にわたって綿が充填され、綿が行き渡っているため、保温性に優れている。
【００１１】
（３）また、本考案のマスクにおいて、前記マスク本体は、前記マスク本体の幅方向の一方の端部に、前記マスク本体を折り返し、その長手方向の両端部を縫着して形成される折り返し部を有することを特徴としている。
【００１２】
このように、本考案に係るマスクは、マスク本体が幅方向端部に折り返し部を有する。これにより、折り返し部により顎を包むようにマスクを装着することを可能にし、顎を保温することができる。
【００１３】
（４）また、本考案のマスクにおいて、前記マスク本体は、前記マスク本体の中央部に幅方向の一方の端部に向かって開口する中央ポケットを有することを特徴としている。
【００１４】
このように、マスク本体が中央ポケットを有するため、直接、呼吸による空気の通り道に香り袋等を収納することができる。その結果、利用者の好みに合わせてマスクの態様を変えることができる。
【００１５】
（５）また、本考案のマスクにおいて、前記中央ポケットは、開口端が前記マスク本体の幅方向の端部から一定の段差を隔てて形成されていることを特徴としている。
【００１６】
これにより、中央ポケットの開口端を見つけ易くすることができる。また、表面を指でなぞるだけで、開口端に指を引っ掛けてポケットを開けることができ、ポケットに香り袋等を挿入し易くすることができる。
【００１７】
（６）また、本考案のマスクにおいて、前記中央ポケットは、前記綿を包む布の余剰分および、前記布の余剰分を折り返し前記マスク本体の幅方向に沿って縫着する一対の縫着部により形成されることを特徴としている。
【００１８】
このように、中央ポケットは、布の余剰分を折り返し、左右を縫着することで形成されているため、ポケットの形成が容易である。
【００１９】
（７）また、本考案のマスクにおいて、前記一対の縫着部は、折り返される前記布の余剰分とともに、前記マスク本体を形成する前記綿および前記綿を包む布を重ねて一体に縫着することを特徴としている。
【００２０】
このように、一対の縫着部は、マスク本体内の綿を含めて布と一体に縫着するため、綿がマスク本体の内部で移動するのを防止することができる。また、他の部分に比べ縫着部は薄く形成されるため、縫着部を折り目にしてマスク本体をコンパクトに折り畳むことが可能である。
【００２１】
（８）また、本考案のマスクにおいて、前記一対の縫着部は、前記中央ポケットの両側に、２つの脇ポケットを形成することを特徴としている。
【００２２】
このように、マスク本体が脇ポケットを有するため、呼吸による空気の通り道に対して間接的に香り袋等を収納することができる。その結果、直接に呼吸による空気の通り道に香り袋等を置くと、香り等がきつくなり息苦しくなる場合があるが、間接的に香りを嗅ぐようにするため息苦しさがなくなる。また、脇ポケットにより利用者の好みに合わせてマスクの態様を変えることができる。
【００２３】
（９）また、本考案のマスクにおいて、前記中央ポケットは、芳香体を収納することを特徴としている。
【００２４】
これにより、中央ポケット内の芳香体から芳香を嗅ぐことで、リラックスし、精神的な癒し効果を得ることが可能である。また、周囲の悪臭を緩和することもできる。
【００２５】
（１０）また、本考案のマスクにおいて、前記中央ポケットは、湿潤体を収納することを特徴としている。
【００２６】
これにより、湿潤体がマスク本体を通過する空気を湿らせ、のどを乾燥から防ぎ、のどを痛めるのを防止することができる。
【００２７】
（１１）また、本考案のマスクにおいて、前記中央ポケットは、活性炭を内包する包装体を収納することを特徴としている。
【００２８】
これにより、活性炭が臭いの成分を吸収しフィルタの役割を果たすため、周囲が悪臭に満ちている場合には悪臭を吸収し、呼吸し易くする。一方、利用者の口臭も活性炭に吸収されるため、周囲に対して口臭を気にする必要がなくなる。
【００２９】
（１２）また、本考案のマスクにおいて、前記脇ポケットは、芳香体を収納することを特徴としている。
【００３０】
これにより、脇ポケット内の芳香体から芳香を嗅ぐことで、リラックスし、精神的な癒し効果を得ることが可能である。また、周囲の悪臭を緩和することもできる。
【考案の効果】
【００３１】
本考案のマスクによれば、マスク本体が中央部に口を当てたとき長手方向の両端部が耳元までを覆う形状を有する。これにより、口から耳元までの部分を直接外気に晒すことなく、保温することができる。また、キルティング加工により形成されるため、ガーゼマスク等に比べ保温性がよい。
【００３２】
また、本考案のマスクによれば、マスク本体の長手方向の全体にわたって綿が充填され、綿が行き渡っているため、保温性に優れている。
【００３３】
また、本考案のマスクによれば、マスク本体が幅方向端部に折り返し部を有する。これにより、折り返し部により顎を包むようにマスクを装着することを可能にし、顎を保温することができる。
【００３４】
また、本考案のマスクによれば、マスク本体が中央ポケットを有するため、直接、呼吸による空気の通り道に香り袋等を収納することができる。その結果、利用者の好みに合わせてマスクの態様を変えることができる。
【００３５】
また、本考案のマスクによれば、中央ポケットの開口端を見つけ易くすることができる。また、表面を指でなぞるだけで、開口端に指を引っ掛けてポケットを開けることができ、ポケットに香り袋等を挿入し易くすることができる。
【００３６】
また、本考案のマスクによれば、中央ポケットは、布の余剰分を折り返し、左右を縫着することで形成されているため、ポケットの形成が容易である。
【００３７】
また、本考案のマスクによれば、一対の縫着部は、マスク本体内の綿を含めて布と一体に縫着するため、綿がマスク本体の内部で移動するのを防止することができる。また、他の部分に比べ縫着部は薄く形成されるため、縫着部を折り目にしてマスク本体をコンパクトに折り畳むことが可能である。
【００３８】
また、本考案のマスクによれば、マスク本体が脇ポケットを有するため、呼吸による空気の通り道に対して間接的に香り袋等を収納することができる。その結果、直接に呼吸による空気の通り道に香り袋等を置くと、香り等がきつくなり息苦しくなる場合があるが、間接的に香りを嗅ぐようにするため息苦しさがなくなる。また、脇ポケットにより利用者の好みに合わせてマスクの態様を変えることができる。
【００３９】
また、本考案のマスクによれば、ポケット内の芳香体から芳香を嗅ぐことで、リラックスし、精神的な癒し効果を得ることが可能である。また、周囲の悪臭を緩和することもできる。
【００４０】
また、本考案のマスクによれば、湿潤体がマスク本体を通過する空気を湿らせ、のどを乾燥から防ぎ、のどを痛めるのを防止することができる。
【００４１】
また、本考案のマスクによれば、活性炭が臭いの成分を吸収するため、周囲が悪臭に満ちている場合には悪臭を吸収し、呼吸し易くする。一方、利用者の口臭も活性炭に吸収されるため、周囲に対して口臭を気にする必要がなくなる。
【考案を実施するための最良の形態】
【００４２】
次に、本考案の実施の形態について、図面を参照しながら説明する。説明の理解を容易にするため、各図面において同一の構成要素に対しては同一の参照番号を附し、重複する説明は省略する。
【００４３】
図１は、マスク１の正面図、すなわち装着されているマスク１を前から見た図である。図２は、マスク１の背面図、すなわちマスク１を装着する場合に顔に当接する側から見た図である。
【００４４】
図１および図２に示すように、マスク１は、マスク本体２ならびにゴム紐３および４から構成される。マスク本体２は、布で綿を包み縫着する、いわゆるキルティングの手法で形成されているため、ガーゼマスク等に比べ保温性がよい。マスク本体２は、そのまま洗ってもよいし、内部の綿を取り換え、布を洗ってもよい。このように、マスク１は繰り返し何度も使用することができ、経済的である。
【００４５】
マスク本体２は、中央部に口を当てたとき長手方向の両端部が耳元までを覆う形状を有している。これにより、口から耳元までの部分を直接外気に晒すことなく、保温することができる。また、マスク本体２は、長手方向の全体にわたって綿が充填されている。このように、マスク本体２は、全体に綿が行き渡るように形成されているため、保温性に優れている。布の材質には特に限定はないが、通気性がよく肌触りがよいものが好ましい。布には、模様や色彩を施してもよい。また、綿の材質についても限定はないが、きめ細かいキルト用綿が保温性に優れており好適である。たとえば、キルト用に市販されている綿は、均一で整った形状を有しているため、好適である。
【００４６】
また、特殊繊維の綿を採用することで、マスク１を様々な用途に使用することができる。たとえば、水分と接することにより、発熱する繊維を用いれば、吐く息に含まれる水分でマスク１を発熱させることができる。このような特殊繊維を用いたマスク１は、ウインタースポーツ用等の特殊な用途に好適である。
【００４７】
ゴム紐３および４は耳掛けを構成し、マスク本体２の長手方向の両端部に設けられている。ゴム紐３および４は、それぞれマスク本体２の長手方向の両端部に形成される係止用折り返し１１および１２により、マスク本体２に繋がれている。係止用折り返し１１および１２は、ゴム紐３および４を巻き込んだ状態で、糸により縫着されている。すなわち、縫着部１３および１４は、係止用折り返し１１および１２をマスク本体２に縫着している。
【００４８】
なお、耳掛けは、ゴム紐以外にも紐により形成されるものでもよい。また、耳掛けは、フック状のプラスチックであってもよいし、頭の後ろまでまわるバンドであってもよい。
【００４９】
図２に示すように、マスク本体２は、背面側すなわち顔に当接する側に折り返し部１７を有する。折り返し部１７は、マスク本体２の幅方向の一方の端部を折り返して形成されている。折り返し部１７は、長手方向の両端部を縫着され、その縫着箇所は係止用折り返し１１および１２により巻き込まれている。したがって、折り返し部１７は、両端は閉じられた状態でマスク本体２に縫着されているが、中央部分にはたるみを有しており、開いた状態になっている。これにより、折り返し部１７により顎を包むようにマスク１を装着することを可能にし、顎を保温することができる。なお、折り返し部１７の両端を多めに縫合して、使用時に顎とマスク本体２との間に隙間が生じないようにすることも可能である。
【００５０】
また、マスク本体２は、その顔に当接する側の中央部に、中央ポケット１８を有している。中央ポケット１８は、幅方向に沿って内容物を収納できる形状を有しており、最初の折り目４０側に向かって開口している。このように、マスク本体が中央ポケットを有するため、直接、呼吸による空気の通り道に香り袋等を収納することができる。その結果、利用者の好みに合わせてマスク１の態様を変えることができる。
【００５１】
中央ポケット１８の開口端は、マスク本体２の幅方向の端部から一定の段差４５を隔てて形成されている。これにより、中央ポケット１８の開口端を見つけ易くすることができる。また、表面を指でなぞるだけで、開口端に指を引っ掛けてポケットを開けることができ、ポケットに香り袋等を挿入し易くすることができる。段差４５は、たとえば約１ｃｍから３ｃｍである。中央ポケット１８に、ガーゼを入れて用いてもよい。その場合には、ガーゼの交換が容易となる。長方形のガーゼの半分をポケットに入れて、半分を外側に折り返して使用することもできる。
【００５２】
中央ポケット１８は、綿を包む布の余剰分（図示せず）および一対の縫着部２１および２２により形成されている。すなわち、縫着部２１および２２に挟まれる部分が中央ポケット１８となっている。このように、中央ポケット１８は、布の余剰分を折り返し、左右を縫着することで形成されているため、ポケットの形成が容易である。
【００５３】
なお、布の余剰分とは、布で綿を包んだときに余る部分をいう。布の余剰分は、二重に折り返され、最初の折り目４０は縫着部１０によりマスク本体２に縫着されており、第２の折り目（図示せず）は中央ポケット１８の底になっている。そして、折り返される布の余剰分が、マスク本体２の幅方向に沿って縫着されることで、中央ポケット１８が形成されている。
【００５４】
一対の縫着部２１および２２は、布の余剰分だけでなく、マスク本体２の綿および表裏の布を重ねて一体に縫着している。これにより、綿がマスク本体２の内部で移動するのを防止することができる。また、他の部分に比べ縫着部２１および２２は薄く形成されるため、縫着部２１および２２を折り目にしてマスク本体２をコンパクトに折り畳むことが可能である。
【００５５】
中央ポケット１８の両側には、脇ポケット２３および２４が、綿を包む布の余剰分および一対の縫着部２１および２２により形成されている。脇ポケット２３および２４は、中央ポケット１８とほぼ同様に構成されるが、脇ポケット２３は、縫着部１３および縫着部２１に挟まれて形成されており、脇ポケット２４は、縫着部１４および縫着部２２に挟まれて形成されている。これにより、呼吸による空気の通り道に対して間接的に香り袋等を収納することができる。その結果、直接に呼吸による空気の通り道に香り袋等を置くと、香り等がきつくなり息苦しくなる場合があるが、間接的に香りを嗅ぐようにするため息苦しさがなくなる。このように、脇ポケット２３および２４により利用者の好みに合わせてマスクの態様を変えることができる。なお、脇ポケット２３または２４の中央を縫着し、ポケットを分割することで、ポケットを増やしてもよい。
【００５６】
図３は、図２の、面Ａに沿ってマスク本体２を切断したときの断面図である。マスク本体２の表面は布３０により覆われており、内部には綿３１が充填されている。図３に示すように、折り返し部１７は、長手方向の中央部でたるんだ状態で開いている。中央ポケット１８は、図３に示すように、布３０が重なって形成されている。
【００５７】
図４は、図２の面Ｂに沿ってマスク本体２を切断したときの断面図である。マスク本体２の表面は布３０により覆われており、内部には綿３１が充填されている。図４に示すように、折り返し部１７は、長手方向の端部では、縫着部１４によりマスク本体２に縫着されているため、閉じている状態である。また、折り返し部１７の長手方向の端部は、綿３１を内包しないように形成されている。脇ポケット２４は、図４に示すように、布３０が重なって形成されている。
【００５８】
次に、マスク１の作製方法を説明する。図５は、マスク１の作製方法を（ａ−１）から（ａ−６）および（ｂ−１）から（ｂ−６）の図によって説明する模式図である。左列の（ａ−１）から（ａ−６）に示す図は、作製方法の順に従ってマスク１を背面から見た図である。また、右列の（ｂ−１）から（ｂ−６）に示す図は、それぞれ左列の図面の中心線Ｃで本体部分を切断したときの断面図である。
【００５９】
まず、あらかじめ、綿を包んだときの余剰分を見積もってマスク本体２の形成に必要な大きさの布および綿を準備しておく。そして、図５の（ａ−１）および（ｂ−１）に示すように、布３０を広げて、その上に綿３１を置く。綿３１は、布３０上で一方に偏った位置に配置する。
【００６０】
次に、図５の（ａ−２）および（ｂ−２）に示すように、布３０の一方を折り返し、綿３１を覆う。そして、図５の（ａ−３）および（ｂ−３）に示すように、折り返しの反対側の布３０を折り返して綿３１を完全に包む。布の余剰分３４は、綿３１を包んで余った部分である。次に、図５の（ａ−４）および（ｂ−４）に示すように、折り返して余った布の余剰分３４を更に二重に折り返す。このとき、折り返しによる最初の折り目４０は、本体部分の端部の位置に合わせ、第２の折り目４１は、反対側の端部の手前に位置するように折り返す。折り返した布３０の先端部分４２は、最初の折り目４０まで届かないように合わせて、端部からの段差４５を設ける。最初の折り目４０は、本体部分に縫着する。そして、縫着部２１および２２を本体部分の幅方向にそって設ける。縫着部２１および２２を設けることにより、中央ポケット１８ならびに脇ポケット２３および２４が形成される。
【００６１】
次に、図５の（ａ−５）および（ｂ−５）に示すように、綿を内包する本体部分の端部を折り返し、折り返した部分の長手方向の両端部を縫着して、折り返し部１７を形成する。縫着部３５および３６は、折り返した部分の長手方向の両端部を縫着する。
【００６２】
次に、この本体部分の長手方向の両端部に、リング状のゴム紐３および４を配置し、図５の（ａ−６）および（ｂ−６）に示すように、長手方向の両端部を折り返し、または巻き込んで係止用折り返し１１および１２を形成する。そして、係止用折り返し１１および１２を縫着部１３および１４により縫着する。このようにして形成される係止用折り返し１１および１２により、ゴム紐３および４は、マスク本体２に係止される。
【００６３】
なお、上記の製造方法の例では、布の余剰分３４を二重に折り返してポケットを形成しているが、二重に折り返すことなく、一回だけ折り返した布の余剰分でポケットを形成してもよい。その場合には、綿を包む布と布の余剰分に挟まれる空間がポケット内部となる。
【００６４】
次に、このように作製されるマスク１の使用方法を説明する。マスク１は、中央ポケット１８ならびに脇ポケット２３および２４を有する。これらのポケットには、利用者の好みに合わせた内容物を挿入して、マスク１を使用することができる。このように、利用者の好みに合わせてマスク１を使用することが可能である。
【００６５】
たとえば、香り袋等の芳香体を中央ポケット１８または脇ポケット２３または２４に入れてマスク１を装着することができる。これにより、中央ポケット１８または脇ポケット２３および２４内の芳香体から芳香を嗅ぐことで、リラックスし、精神的な癒し効果を得ることが可能である。また、周囲の悪臭を緩和することもできる。たとえば、木の香り成分の入った香り袋を用いれば、リラックスによる癒しの効果が期待できる。なお、芳香体には、香り袋以外にも、芳香を発する固体そのものも含まれる。
【００６６】
また、たとえば、湿状綿等の湿潤体を中央ポケット１８または脇ポケット２３または２４に入れてマスク１を装着することができる。これにより、湿潤体がマスク本体を通過する空気を湿らせ、のどを乾燥から防ぎ、のどを痛めるのを防止することができる。これにより、湿潤体がマスク本体を通過する空気を湿らせ、のどを乾燥から防ぎ、のどを痛めるのを防止することができる。湿潤体は、液体および液体を吸収し保持する吸収体から構成される。液体は、単なる水であってもよいし、香り成分を含む溶液であってもよい。また、アロエのジュースを用いてもよい。アロエジュースを用いた湿潤体を用いることで、のどの乾燥を防ぐとともに、アロエ成分によりのど荒れを治癒する効果を得ることができる。吸収体としては、綿または吸収性のよい紙等を用いたものが好適であるが、スポンジ等であってもよい。
【００６７】
また、たとえば、活性炭を内包する包装体等を中央ポケット１８または脇ポケット２３または２４に入れてマスク１を装着することができる。活性炭を内包する包装体とは、たとえば活性炭を入れた通気性を有する袋を指す。これにより、活性炭が臭いの成分を吸収するため、周囲が悪臭に満ちている場合には悪臭を吸収し、呼吸し易くなる。一方、利用者の口臭も活性炭に吸収されるため、周囲に対して口臭を気にする必要がなくなる。特に、中央ポケット１８に活性炭を挿入したときには、マスク１がフィルタの役割を果たす。
【００６８】
マスク１を装着する際には、あらかじめポケットに内容物を挿入した状態で、折り返し部１７の中央を顎にあてがう。折り返し部１７の中央はたるんでいるため、装着は容易である。そして、そのままマスク本体２で口から耳元までを覆い、その長手方向の両端部のゴム紐３および４を耳に引っ掛ける。このようにして、図３示すような態様でマスク１の装着が完了する。
【００６９】
なお、上記の実施形態では、キルティングにより綿を布で包み込んでマスク本体２を形成しているが、布の一部を開閉可能な構造としてもよい。このような構造を設けることで、綿を取り換えたり、布を洗濯したりすることを容易にすることができる。
【図面の簡単な説明】
【００７０】
【図１】本考案に係るマスクを示す正面図である。
【図２】本考案に係るマスクを示す背面図である。
【図３】マスク本体の断面図である。
【図４】マスク本体の断面図である。
【図５】本考案に係るマスクの作製方法を示すマスクの背面図および断面図である。
【図６】本考案に係るマスクの装着例を示す図である。
【符号の説明】
【００７１】
１  マスク
２  マスク本体
３  ゴム紐（耳掛け）
１０、１３、１４、２１、２２、３５、３６  縫着部
１７  折り返し部
１８  中央ポケット
２３、２４  脇ポケット
３０  布
３１  綿
３４  布の余剰分
４０  最初の折り目
４１  第２の折り目
４２  折り返した布の先端部分
４５  段差
【図１】
0003111301.tif 000003
【図２】
0003111301.tif 000004
【図３】
0003111301.tif 000005
【図４】
0003111301.tif 000006
【図５】
0003111301.tif 000007
【図６】
0003111301.tif 000008